(57)【要約】【課題】  本発明は、厚手書類等の紙片の行き止まりとなる連結部に捻りを生じさせず、かつ構造が簡単で製作を容易に行うことができる厚手書類用クリップを提供するものである。【解決手段】  本発明の厚手書類用クリップは、金属製や合成樹脂製の弾性線材を長楕円渦巻き状に一体に形成し、書類等の紙片を挟むループ状の内側円弧部６と外側円弧部２を設け、該内側円弧部６と外側円弧部２の反対側に書類等の紙片の行き止まりとなる連結部３を設けてなるものにおいて、前記連結部３と前記内側円弧部６と結ぶ直線部に、前記連結部３側に上方に直立する立ち上がり部４を形成すると共に、該立ち上がり部４頂上から前記内側円弧部６に連結される傾斜部５を形成したものである。【選択図】  図１
2005246618.tif 000002
【特許請求の範囲】
【請求項１】
金属製や合成樹脂製の弾性線材を長楕円渦巻き状に一体に形成し、書類等の紙片を挟むループ状の内側円弧部と外側円弧部を設け、該内側円弧部と外側円弧部の反対側に書類等の紙片の行き止まりとなる連結部を設けてなるクリップにおいて、前記連結部と前記内側円弧部と結ぶ直線部に、前記連結部側に上方に直立する立ち上がり部を形成すると共に、該立ち上がり部頂上から前記内側円弧部に連結される傾斜部を形成したことを特徴とする厚手書類用クリップ。
【発明の詳細な説明】
【技術分野】
【０００１】
本発明は、弾性線材を長楕円渦巻き状に一体に形成したゼムクリップ（商品名）等の紙書類を挟持する事務用クリップに関する。
【背景技術】
【０００２】
従来、金属製や合成樹脂製の弾性線材を長楕円渦巻き状に一体に形成したゼムクリップ（商品名）等は、書類等の紙片を挟むループ状の内側円弧部と外側円弧部を設け、該内側円弧部と外側円弧部の反対側に書類等の紙片の行き止まりとなる連結部を直線や曲線で一体に形成したものである。
このクリップは紙書類が薄手の場合には良いが、書類が厚手、すなわち挟む紙片が厚い時には前記内側円弧部と外側円弧部との間が大きく開いて行くにつれて連結部に捻りが加わり、その捻りは前記内側円弧部と外側円弧部を紙面からの反り返りを大きくし紙面を傷つけるし、また前記連結部が塑性変形し易く紙片を挟む弾性力が失われてクリップ自身も抜けやすくなるものであった。
これを解決したものとして、連結部の捻りを緩衝する凹凸状にくねった部分を形成する事務用クリップが知られている（特許文献１を参照）。
この公知技術は、弾性線材を回曲してループ状の内環部と外環部とを形成し、その両環部を連結している連結部は両環部の内環部面や外環部面と少なくとも直角に交差する面に沿って凹凸状にくねった連結部としたものである。
【０００３】
【特許文献１】特開２００２−３２１４７９号公報
【発明の開示】
【発明が解決しようとする課題】
【０００４】
本発明は、厚手書類等の紙片の行き止まりとなる連結部に捻りを生じさせず、かつ構造が簡単で製作を容易に行うことができる厚手書類用クリップを提供するものである。
【課題を解決するための手段】
【０００５】
本発明の厚手書類用クリップは、金属製や合成樹脂製の弾性線材を長楕円渦巻き状に一体に形成し、書類等の紙片を挟むループ状の内側円弧部と外側円弧部を設け、該内側円弧部と外側円弧部の反対側に書類等の紙片の行き止まりとなる連結部を設けてなるものにおいて、前記連結部と前記内側円弧部と結ぶ直線部に、前記連結部側に上方に直立する立ち上がり部を形成すると共に、該立ち上がり部頂上から前記内側円弧部に連結される傾斜部を形成したものである。
【発明の効果】
【０００６】
本発明の厚手書類用クリップは、特に従来のクリップにより紙書類の場合に生じていた捻りによる挟持力ではなく、立ち上がり部と傾斜部との直線的な復元弾性力を利用して厚手書類等を保持するので、紙書類等を傷つけることがないし、内側円弧部と外側円弧部との連結部は捻りを生じることなく、紙枚数が多くてもしっかりと挟むことができる。
また、本発明の厚手書類用クリップは、厚手の書類であっても立ち上がり部と傾斜部との直線的な復元弾性力により内側円弧部と外側円弧部との間で挟持できるので、クリップの取付け、取外しの操作が円滑に行える。
【発明を実施するための最良の形態】
【０００７】
本発明の厚手書類用クリップは、金属製や合成樹脂製の弾性線材を長楕円渦巻き状に一体に形成し、書類等の紙片を挟むループ状の内側円弧部と外側円弧部を設け、該内側円弧部と外側円弧部の反対側に書類等の紙片の行き止まりとなる連結部を設けてなるものにおいて、前記連結部と前記内側円弧部と結ぶ直線部に、前記連結部側に上方に直立する立ち上がり部を形成すると共に、該立ち上がり部頂上から前記内側円弧部に連結される傾斜部を形成したものである。
【実施例】
【０００８】
以下、本発明の厚手書類用クリップの一実施例を図面に基づいて説明する。
図１の斜視図に示すように、一本の金属製や合成樹脂製の弾性線材を外側端部１から適宜長さの直線部から回曲して半円の外側円弧部２を形成し、該外側円弧部２に連続して前記直線部より長く形成した直線部から外側円弧部２側に回曲して前記外側円弧部２より小さい半円の連結部３を形成して長楕円状にする。
なお、前記連結部３は、半円に限らず、例えば三角形などの適宜形状にすることができる。
さらに、前記連結部３に連続して上方に直立する書類等の厚さに相当する立ち上がり部４を形成すると共に、該立ち上がり部４頂上から斜めに前記外側円弧部２に向う傾斜部５を形成し、前記外側円弧部２の手前で回曲して前記連結部３より小さい半円の内側円弧部６を形成し、該内側円弧部６に連続して前記連結部３に向う直線部を設けて前記外側端部１より長く形成した内側端部７を形成する。
【０００９】
図２の平面図に示すように、本発明の厚手書類用クリップは、一本の弾性線材を回曲して長楕円渦巻き状に形成される。
図３の正面図に示すように、前記立ち上がり部４と前記傾斜部５とのなす角度は、直角でも良いが、なるべくは鈍角に形成して復元弾性力を生じるようにする。
また、上方に直立する立ち上がり部４は、前記連結部３に垂直であっても良いが、図３に示すように前記内側円弧部６側に多少傾斜した角度であっても良い。
更に、図４の右側面図に示すように、前記立ち上がり部４と前記傾斜部５とは重なり合いの一直線上に配置される。
【００１０】
次に、本発明の厚手書類用クリップを厚手書類等に使用する場合について説明する。
立ち上がり部４が上向きとなる図３に示す状態で右手の親指と人差し指で連結部３を掴み、厚手書類等の上面角部に図２に示す内側円弧部６が当接するようにして内側円弧部６を厚手書類等に当てた状態を保ちつつ、外側円弧部２が厚手書類等の下面に当接するように下向きに押圧回転させると、立ち上がり部４に連結された傾斜部５が上方に展開して内側円弧部６と外側円弧部２との間に厚手書類等が挟まれる。
この状態では、内側円弧部６と外側円弧部２とで厚手書類等が挟まれているだけなので、連結部３を掴んだ状態でさらに厚手書類等側に押し込むと、図５、図６に示すように、厚手書類等は立ち上がり部４の厚さに合わせた状態で内側円弧部６と外側円弧部２とがほぼ平行に保持される。
このようにして、本発明の厚手書類用クリップにより厚手書類等がしっかりと挟持される。
なお、図６に示すように、立ち上がり部４がストッパーとなって厚手書類等の連結部３までの侵入を阻止するので、連結部３がクリップ取付け、取外しの際の摘み部として利用することができるし、前記連結部３の突出が邪魔な場合には、矢印のように立ち上がり部４を中心に回転させることにより内側円弧部６を斜め姿勢にさせ、連結部３の突出をなくすことができる。
本発明の厚手書類用クリップは、やや大型のクリップを対象としているが、通常のゼムクリップ（大）長径２７ｍｍ以下であっても同様の構造とすることができる。
【００１１】
本発明の厚手書類用クリップは、特に従来のクリップの場合に紙書類に生じていた捻りによる挟持力ではなく、立ち上がり部４と傾斜部５との直線的な復元弾性力を利用して厚手書類等を保持するので、紙書類等を傷つけることがないし、内側円弧部６と外側円弧部２との連結部３にも捻りを生じることなく、紙枚数が多くてもしっかりと挟むことができる。
また、本発明の厚手書類用クリップは、厚手の書類であってもクリップの取付け、取外しの際にも捻りによる挟持力でないので、外側端部１や内側端部７が紙片に引っ掛かることがなく立ち上がり部４と傾斜部５との直線的な復元弾性力により内側円弧部６と外側円弧部２との間で挟持できるので、クリップの取付け、取外し操作が円滑に行える。
【図面の簡単な説明】
【００１２】
【図１】本発明の厚手書類用クリップの斜視図である。
【図２】本発明の厚手書類用クリップの平面図である。
【図３】本発明の厚手書類用クリップの正面図である。
【図４】本発明の厚手書類用クリップの右側面図である。
【図５】本発明の厚手書類用クリップを厚手書類等に使用した状態の右側面図である。
【図６】本発明の厚手書類用クリップを厚手書類等に使用した状態の平面図である。
【符号の説明】
【００１３】
１  外側端部
２  外側円弧部
３  連結部
４  立ち上がり部
５  傾斜部
６  内側円弧部
７  内側端部
【図１】
2005246618.tif 000003
【図２】
2005246618.tif 000004
【図３】
2005246618.tif 000005
【図４】
2005246618.tif 000006
【図５】
2005246618.tif 000007
【図６】
2005246618.tif 000008